(57)【要約】【課題】円滑な移動を行うガイド付きスライドアセンブリを提供すること。【解決手段】ガイド付きスライドアセンブリであって、長手方向のベースプレート（２１１）と、このベースプレートの側辺から垂直に起立するガイドプレート（２１２）と、このガイドプレートの一方に形成された固定部（２１６）と、を備えたスライドレールユニット（２）と；一方のガイドプレートに対して着脱可能に配置され、長手方向のラック部材（４１）と、このラック部材上に配置された係合フック（４２）と、を備えており、さらに、係合フックが、一方のガイドプレート上の固定部に対して係合するような、ガイドユニット（４）と；を具備している。【選択図】図２
2013106954.tif 000002
【特許請求の範囲】
【請求項１】
ガイド付きスライドアセンブリであって、
少なくとも１つのスライドレールユニット（２）であるとともに、長手方向のベースプレート（２１１）と、このベースプレート（２１１）の２つの側辺から垂直に起立する一対のガイドプレート（２１２）と、前記ガイドプレート（２１２）の一方に形成された少なくとも１つの固定部（２１６）と、を備えた少なくとも１つのスライドレールユニット（２）と；
前記一方のガイドプレート（２１２）に対して着脱可能に配置される少なくとも１つのガイドユニット（４）であるとともに、長手方向のラック部材（４１）と、このラック部材（４１）上に配置された少なくとも１つの係合フック（４２）と、を備えており、さらに、前記係合フック（４２）が、前記一方のガイドプレート（２１２）上の前記固定部（２１６）に対して係合するような、少なくとも１つのガイドユニット（４）と；
を具備していることを特徴とするガイド付きスライドアセンブリ。
【請求項２】
ガイド付きスライドアセンブリのガイドユニットであって、
長手方向の歯付き部分（４１３）を有して形成された長手方向のラック部材（４１）と；
このラック部材（４１）上に形成された少なくとも１つの係合フック（４２）と；
を備えていることを特徴とするガイドユニット。
【請求項３】
請求項２記載のガイドユニットにおいて、
前記長手方向の歯付き部分（４１３）が、前記長手方向のラック部材（４１）の一方の側部上に形成され、
前記係合フック（４２）が、前記ラック部材（４１）の他方の側部上に形成されていることを特徴とするガイドユニット。
【請求項４】
請求項２記載のガイドユニットにおいて、
前記歯付き部分（４１３）が、複数の歯（４１４）と、隣接する２つの歯（４１４）の間に形成された少なくとも１つの開口（４１７）と、を備え、
前記係合フック（４２）が、前記歯付き部分（４１３）の裏面（４１８）から、前記歯（４１４）とは逆向きに、突出しており、
さらに、前記開口（４１７）を向いたバーブ表面（４２１）を備えていることを特徴とするガイドユニット。
【請求項５】
請求項２記載のガイドユニットにおいて、
前記歯付き部分（４１３）が、複数の歯（４１４）と、少なくとも１つの当接部材（４３）と、を備え、
前記係合フック（４２）が、前記歯付き部分（４１３）の裏面（４１８）から、前記歯（４１４）とは逆向きに、突出しており、
前記当接部材（４３）が、前記係合フック（４２）から離間して配置されているとともに、前記係合フック（４２）の開口端に対向していることを特徴とするガイドユニット。
【請求項６】
請求項２記載のガイドユニットにおいて、
前記歯付き部分（４１３）が、複数の歯（４１４）と、少なくとも２つの側部保持部材（４４）と、を備え、
前記側部保持部材（４４）が、前記係合フック（４２）の両側面上に延在していることを特徴とするガイドユニット。
【請求項７】
請求項２記載のガイドユニットにおいて、
さらに、前記ラック部材（４１）の一端部に配置されたスロット付き部分（４５）を備えていることを特徴とするガイドユニット。
【請求項８】
請求項２記載のガイドユニットにおいて、
前記ラック部材（４１）が、さらに、互いに離間した２つの長手方向保持壁（４１１，４１２）と、長手方向凹所（４１９）と、を備え、
前記歯付き部分（４１３）が、前記保持壁（４１１，４１２）を架橋し、
前記長手方向凹所（４１９）が、前記保持壁（４１１，４１２）と、前記歯付き部分（４１３）の裏面と、によって規定されていることを特徴とするガイドユニット。
【請求項９】
ガイド付きスライドアセンブリのスライドレールユニットであって、
長手方向のベースプレート（２１１）と、このベースプレート（２１１）の２つの側辺から垂直に起立する一対のガイドプレート（２１２）と、を有した第１スライドレール（２１）と；
前記ガイドプレート（２１２）の一方に形成された少なくとも１つの固定部（２１６）と；
前記第１スライドレール（２１）に対してスライド可能とされた第２スライドレール（２２）と；
を備えていることを特徴とするスライドレールユニット。
【請求項１０】
請求項９記載のスライドレールユニットにおいて、
前記固定部（２１６）が、プレス加工によって前記一方のガイドプレート（２１２）に形成されたスリットフックであることを特徴とするスライドレールユニット。
【請求項１１】
請求項９記載のスライドレールユニットにおいて、
前記第１スライドレール（２１）が、さらに、前記一方のガイドプレート（２１２）に形成された傾斜タブ（２１７）を有していることを特徴とするスライドレールユニット。
【発明の詳細な説明】
【技術分野】
【０００１】
本発明は、ガイド付きスライドアセンブリに関するものであり、より詳細には、同期的なプッシュプル操作を行うガイド付きスライドアセンブリに関するものである。
【背景技術】
【０００２】
例えば引き出しを有して使用されるものといったような共通のガイド付きスライドデバイスは、キャビネットの２つの側壁の２つの対向した内表面のそれぞれに対して固定された２つの外側スライドレールと、これら外側スライドレール内において移動可能に配置されているとともに引き出しの２つの側面のそれぞれに対して固定された２つの内側スライドレールと、内側スライドレールと外側スライドレールとの間に配置された複数のボールと、を備えている。外側スライドレールの各々は、キャビネットの対応内壁の内表面に対して固定されたベースプレートと、このベースプレートの２つの側辺から垂直に起立する２つのガイドプレートと、を有している。外側スライドレールのガイドプレートは、対応する一方の内側スライドレールの上下に配置される。ボールは、ガイドプレートと、対応する内側スライドレールと、の間に配置される。
【０００３】
２つの対をなす外側スライドレールおよび内側スライドレールが互いに連結されていないことのために、２つの内側スライドレールは、一般に、それぞれの外側スライドレール上を、同期的に移動することができない。引き出しを開閉する際には、引き出しは、逸脱したり、バラバラになったり、音が出たりする。
【０００４】
上記の問題点を改良するために、ピニオンギヤとラックとからなる係合構造が、従来のガイド付きスライドデバイスに対して適用されており、これにより、外側スライドレール上における双方の内側スライドレールを互いに同期的に移動させることができ、引き出しの逸脱を防止することができる。
【先行技術文献】
【特許文献】
【０００５】
【特許文献１】本明細書は、先行技術文献を記載していない。
【発明の概要】
【発明が解決しようとする課題】
【０００６】
例えば、外側スライドレールのラックとガイドプレートとは、１つの部材として一体的に成形される。しかしながら、そのような一体型の構成は、ボールと、対応するガイドプレートの内表面と、の間の円滑な接触をもたらすことができない。これにより、内側スライドレールと外側スライドレールとの間におけるボールの円滑な回転を引き起こすことができない。ボールの円滑でない回転を避けるために、ラックは、それぞれ、外側スライドレールのベースプレート上に固定される。しかしながら、この修正においては、ベースプレートを、キャビネットの対応する内表面に対して直接的に固定することができない。よって、従来的なガイド付きスライドアセンブリに適応するためには、引き出しの組立手順および寸法を、修正する必要がある。これにより、組立コストを増大させてしまい、ガイド付きスライドアセンブリの応用を制限してしまう。
【課題を解決するための手段】
【０００７】
したがって、本発明の目的は、従来のガイド付きスライドデバイスの少なくとも１つの欠点を軽減し得るようなガイド付きスライドアセンブリを提供することである。
【０００８】
本発明の一見地においては、ガイド付きスライドアセンブリは、少なくとも１つのスライドレールユニットであるとともに、長手方向のベースプレートと、このベースプレートの２つの側辺から垂直に起立する一対のガイドプレートと、ガイドプレートの一方に形成された少なくとも１つの固定部と、を備えた少なくとも１つのスライドレールユニットと；一方のガイドプレートに対して着脱可能に配置される少なくとも１つのガイドユニットと；を具備している。長手方向のガイドユニットは、長手方向のラック部材と、このラック部材上に配置された少なくとも１つの係合フックと、を備えている。係合フックは、一方のガイドプレート上の固定部に対して係合する。
【０００９】
本発明の他の見地においては、ガイド付きスライドアセンブリのガイドユニットは、長手方向の歯付き部分を有して形成された長手方向のラック部材と、このラック部材上に形成された少なくとも１つの係合フックと、を備えている。
【００１０】
本発明のさらに他の見地においては、ガイド付きスライドアセンブリのスライドレールユニットは、長手方向のベースプレートとこのベースプレートの２つの側辺から垂直に起立する一対のガイドプレートとを有した第１スライドレールと、ガイドプレートの一方に形成された少なくとも１つの固定部と、第１スライドレールに対してスライド可能とされた第２スライドレールと、を備えている。
【００１１】
本発明の他の特徴点および利点は、添付図面を参照しつつ、好ましい実施形態に関する以下の詳細な説明を読むことにより、明瞭となるであろう。
【図面の簡単な説明】
【００１２】
【図１】本発明によるガイド付きスライドアセンブリの好ましい実施形態が、引き出しを有したキャビネットに対して組み立てられる様子を示す斜視図である。
【図２】好ましい実施形態における連結ユニットとスライドレールユニットとガイドユニットとの協働をを示す分解斜視図である。
【図３】図２に示す好ましい実施形態の一部を拡大して示す分解斜視図である。
【図４】好ましい実施形態における連結ユニットとスライドレールユニットとガイドユニットとの組立を、一部断面でもって示す側面図である。
【図５】好ましい実施形態の完全収納状態を、一部断面でもって示す正面図である。
【図６】図５に示す好ましい実施形態の一部を拡大して示す図である。
【図７】好ましい実施形態の完全収納状態を、一部断面でもって示す図である。
【発明を実施するための形態】
【００１３】
図１は、本発明のガイド付きスライドアセンブリの好ましい実施形態と一緒に組み立てられたキャビネットボディ１を示している。キャビネットボディ１は、受領スペース１２を規定しており、２つの対向した長手方向の側壁１１と、引き出し３と、を備えている。ガイド付きスライドアセンブリは、２つのスライドレールユニット２と、スライドレールユニット２上において着脱可能に配置された２つの長手方向ガイドユニット４と、を備えている。スライドレールユニット２の各々は、キャビネットボディ１の長手方向側壁１１の一方に配置されており、引き出し３に対して係合している。２つのスライドレールユニット２は、連結ユニット６によって連結されている。これにより、２つのスライドレールユニット２と、引き出し３と、連結ユニット６とを、同期的なプッシュプル態様でもって、操作することができる。２つのスライドレールユニット２とキャビネットボディ１の２つの長手方向側壁１１とによって形成された２つの構造が、対称的に同一であることにより、以下においては、一方の構造だけについて図示する。
【００１４】
図１〜図５に示すように、各スライドレールユニット２は、キャビネットボディ１の対応する側壁１１上に固定された長手方向ベースプレート２１１を有した第１スライドレール２１と、ベースプレート２１１の２つの側辺から垂直に起立する一対のガイドプレート２１２と、第１スライドレール２１に対してスライド可能とされるとともに、引き出し３の側面に対して連結される内表面を有した第２スライドレール２２と、を備えている。
【００１５】
ガイドプレート２１２の各々は、ローラ部分２１３と、第１ローラフリー部分２１４と、第２ローラフリー部分２１５と、を備えている。ローラフリー部分２１４，２１５は、ローラ部分２１３の両端から長手方向に延在している。
【００１６】
スライドレールユニット２は、さらに、第３スライドレール２２１を備えている。第３スライドレール２２１は、第１スライドレール２１の一対のガイドプレート２１２の間においてスライド可能に配置されているとともに、第１スライドレール２１に対して、第２スライドレール２２と一緒にスライドすることができる。
【００１７】
図２〜図５に示すように、長手方向ガイドユニット４は、ガイドプレート２１２上において着脱可能に配置されており、長手方向ラック部材４１と、このラック部材４１上に配置された３つの係合フック４２と、を備えている。
【００１８】
図２〜図５と合わせて図７に示すように、スライドレールユニット２は、さらに、ガイドプレート２１２上に形成された少なくとも１つの固定部２１６を備えている。固定部２１６は、長手方向ガイドユニット４に対して着脱可能に配置される。この実施形態においては、互いに離間して配置された３つの固定部２１６は、スリットフック（あるいは、スロット付きフック）として構成されており、ガイドプレート２１２の第１ローラフリー部分２１４上におけるプレス加工によって長手方向に形成されている。固定部２１６は、長手方向ガイドユニット４に対して着脱可能に配置される。しかしながら、本発明は、この点に限定されるものではなく、固定部２１６の数は、実施態様に応じて調節することができる。
【００１９】
好ましくは、第１スライドレール２１は、さらに、ガイドプレート２１２の第２ローラフリー部分２１５上に形成された傾斜タブ２１７を備えている。傾斜タブ２１７は、長手方向ガイドユニット４に対して着脱可能に配置されており、長手方向ガイドユニット４に対して前方向きおよび上向きに傾斜している。
【００２０】
図５および図７に示すように、列として構成された複数の第１組をなすボール２３が、第３スライドレール２２１の上面および下面のところにおいて、第１スライドレール２１のローラ部分２１３と第３スライドレール２２１との間において、回転可能に配置されている。さらに、列として構成された複数の第２組をなすボール２４が、第２スライドレール２２の上面および下面のところにおいて、第３スライドレール２２１と第２スライドレール２２との間において、回転可能に配置されている。ガイド付きスライドアセンブリが、完全収納状態（図５参照）とされたときには、あるいは、完全延出状態（図７参照）とされたときには、第１組のボール２３は、ガイドプレート２１２の第１ローラフリー部分２１４内へも、また、ガイドプレート２１２の第２ローラフリー部分２１５内へも、回転移動することができない。
【００２１】
この実施形態におけるスライドレールユニット２は、第１〜第３のスライドレール２１，２２，２２１と第１〜第２組のボール２３，２４とを備えた３ステージ型のスライドレール機構として図示されているけれども、本発明の他の実施形態においては、２ステージ型のスライドレール機構を使用することもできる。２ステージ型のスライドレール機構においては、第３スライドレール２２１と第２組のボール２４とを、省略することができる。
【００２２】
図２〜図５に示すように、ガイドユニット４は、長手方向ラック部材４１を備えている。長手方向ラック部材４１は、長手方向歯付き部分４１３と、ラック部材４１上に形成された係合フック４２と、を備えて形成されている。この実施形態においては、長手方向歯付き部分４１３は、長手方向ラック部材４１の一方の側部上に形成されており、係合フック４２は、ラック部材４１のうちの、歯付き部分４１３とは反対側の他方の側部上に形成されている。長手方向歯付き部分４１３は、一方のガイドプレート２１２上において、着脱可能に配置される。ラック部材４１は、さらに、ガイドプレート２１２上に配置された互いに離間した２つの長手方向保持壁４１１，４１２を備えている。ガイドプレート２１２は、長手方向ガイドユニット４に対して着脱可能に配置される。歯付き部分４１３は、２つの保持壁４１１，４１２を架橋する。この実施形態においては、保持壁４１１，４１２が、ガイドプレート２１２上にガイドユニット４を固定するために使用されているけれども、例えばラック部材４１と歯付き部分４１３とをプラスチック材料製の一体部材としてモールド成型することにより、ガイドユニット４をガイドプレート２１２上に固定し得る限りにおいては、保持壁４１１，４１２は、厳密には、必要ではない。
【００２３】
歯付き部分４１３は、複数の歯４１４と、２つの隣接する歯４１４の間に形成された複数の開口４１７と、歯４１４とは逆向きに延出される３つの当接部材４３と、歯４１４とは逆向きに歯付き部分４１３の裏面４１８から延出される３対の側部保持部材４４と、を備えている。この場合、保持部材４４は、係合フック４２の両サイドに延在する。好ましくは、ラック部材４１は、さらに、長手方向凹所４１９を備えている。長手方向凹所４１９は、保持壁４１１，４１２と、歯付き部分４１３の裏面４１８と、によって規定されている。長手方向凹所４１９は、３つの当接部材４３と、３対の側部保持部材４４と、３つの係合フック４２と、を収容する。
【００２４】
図３，４，６に示すように、３つの係合フック４２は、互いに離間されており、歯４１４とは逆向きに歯付き部分４１３の裏面４１８から延出されており、これにより、ガイドプレート２１２の対応する固定部２１６に対して係合することができる。これに代えて、係合フック４２は、ラック部材４１の２つの側面から延出することができる。この実施形態においては、各係合フック４２は、歯付き部分４１３の開口４１７に対して隣接したバーブ表面（あるいは、逆棘表面）４２１を備えている。これに代えて、各開口４１７は、隣接する２つの歯４１４の間に形成され、歯付き部分４１３を通してバーブ表面４１２から延在することができる。この実施形態においては、ガイドユニット４がレールユニット２に対して組み立てられたときには、各係合フック４２は、傾斜タブ２１７を向いた開口端４２２を備えている。各固定部２１６は、対応する係合フック４２の開口端４２２を向いた開口端２１８を備えている。これにより、係合フック４２は、固定部２１６に対して係合することができる。これに代えて、係合フック４２の開口端４２２は、傾斜タブ２１７から離間する向きとすることができ、固定部２１６の開口端２１８は、対応する係合フック４２の開口端４２２に対して、なおも、対向することができる。これにより、係合フック４２および固定部２１６は、互いに係合することができる。係合フック４２の数が、固定部２１６の数と同じであることに、注意されたい。
【００２５】
各当接部材４３は、係合フック４２から離間されており、係合フック４２の開口端４２２に対して位置合わせされている。ガイドユニット４がレールユニット２に対して組み立てられる際には、当接部材４３が、対応する固定部２１６に対して当接する。対応する係合フック４２の開口端４２２の構成にかかわらず、および、対応する固定部２１６の開口端２１８の構成にかかわらず、対応する当接部材４３は、対応する係合フック４２の開口端４２２に対して位置合わせされており、対応する固定部２１６に対して当接する。
【００２６】
ガイドユニット４がレールユニット２に対して組み立てられる際には、各対をなす保持部材４４は、対応する固定部２１６の両側面に対して当接する。これにより、ガイドユニット４とレールユニット２との間の移動を阻止する。この実施形態においては、各固定部２１６は、スリットフックとされる。これに代えて、各固定部２１６は、固定穴として構成することができる。これにより、係合フック４２に対して係合して位置決めすることができる。これにより、保持部材４４を省略することができる。
【００２７】
好ましくは、ガイドユニット４は、さらに、傾斜タブ２１７と係合し得るよう、ラック部材４１の一端に配置されたスロット付き部材４５を備えている。
【００２８】
さらに、スライドレールユニット２と引き出し３と連結ユニット６とからなる同期的なプッシュプル機構のおかげで、引き出し３は、ガイド付きスライドアセンブリが完全収納状態とされるときには、キャビネットボディ１の受領スペース１２内へと円滑に移動することができ、また、引き出し３は、ガイド付きスライドアセンブリが完全延出状態とされるときには、キャビネットボディ１の受領スペース１２から外部へと円滑に移動することができる。図１，３，４に示すように、連結ユニット６は、２つの連結プレート６１と、連結プレート６１上に配置された２つの支持座６２と、支持座６２上において回転可能に配置された２つのピニオンギヤ６４と、ピニオンギヤ６４を軸支するための２つの側部を有した回転シャフト６３と、を備えている。連結プレート６１は、第２スライドレール２２の後端に対してリベット止めされている。連結プレート６１の上向き延出部分は、第１スライドレール２１から部分的に突出している。ピニオンギヤ６４は、ガイドユニット４のラック部材４１に対して噛合する。
【００２９】
引き出し３をキャビネットボディ１から引き出す際には、第２スライドレール２２と第３スライドレール２２１とが、連結ユニット６と一緒に駆動される。この時、ピニオンギヤ６４は、ガイドユニット４に沿って移動することができる。ピニオンギヤ６４どうしが回転時には同数の回転数を有していることのために、第２スライドレール２２どうしは、同期的に（すなわち、同じ移動速度で）移動する。加えて、各固定部２１６は、ガイドプレート２１２の第１ローラフリー部分２１４上においてプレス加工によって形成され、傾斜タブ２１７は、ガイドプレート２１２の第２ローラフリー部分２１５上においてプレス加工によって形成される。したがって、固定部２１６および傾斜タブ２１７の形成は、ガイドプレート２１２のローラ部分２１３の円滑さに悪影響を与えることがない。これにより、第１組のボール２３は、ローラ部分２１３に対して円滑に回転することができる。よって、引き出し３を、キャビネットボディ１から外部へと安定して引き出すことができるとともに、キャビネットボディ１内へと円滑に押し戻すことができる。
【００３０】
組立プロセス時には、スライドレールユニット２と、連結プレート６１と、支持座６２とは、工場からの出荷前に組み立てる必要がある。その後、回転シャフト６３と、ガイドユニット４と、ピニオンギヤ６４とは、現場で組み立てることができる。現場での組立時には、対応するスライドレールユニット２のベースプレート２１１を、キャビネットボディ１の側壁１１に対して固定する。その後、ガイドユニット４を、第１スライドレール２１のガイドプレート２１２の頂部に対して係合させる。ピニオンギヤ６４と、回転シャフト６３と、支持座６２とを、互いに組み立てる。次に、ピニオンギヤ６４を、ガイドユニット４に対して適切に噛合させる。最後に、第２スライドレール２２を、引き出し３の側面に対して固定し、これにより、キャビネットボディ１とガイド付きスライドアセンブリと引き出し３との組立を完了させる。
【００３１】
より詳細には、ガイドユニット４を第１スライドレール２１の頂部上に配置したときには、ガイドユニット４のスロット付き部分４５を、まず最初に、第１スライドレール２１の傾斜タブ２１７に対して係合させる。ガイドユニット４の係合フック４２を、第１スライドレール２１の固定部２１６に対して折り曲げ的に係合させる。図６に示すように、対応する係合フック４２のバーブ表面４２１は、対応する固定部２１６を係合的に係止する。これと同時に、対応する当接部材４３と一対の保持部材４４とは、対応する係合フック４２と固定部２１６との間における緊密で確実な係合を確保する。したがって、ガイドユニット４を、対応するスライドレールユニット２上へと単純にかつ迅速に配置することができる。実際の実施においては、保持壁４１１，４１２の間の幅は、対応する固定部２１６内における係合フック４２の位置決めのために、狭いものとすることができる。
【００３２】
本発明による係合構造のおかげで、第１スライドレール２１の対応するガイドプレート２１２上に形成された固定部２１６および傾斜タブ２１７を、対応するガイドユニット４の係合フック４２およびスロット付き部分４５に対して、迅速に係合することができる。したがって、工場で組み立てるにしてもまた現場で組み立てるにしても、対応するガイドユニット４は、対応するレールユニット２に対して容易に組み立てられる。より詳細には、対応するレールユニット２のベースプレート２１１が、キャビネットボディ１の側壁１１に対して直接的に固定されることのために、本発明は、第１スライドレール２１をキャビネットボディ１の側壁１１に対して固定するに際して、従来技術と同じ組立プロセスを維持することができる。加えて、本発明においては、引き出し３の組立手順や寸法を変更する必要がないことのために、製造コストを低いままに維持することができる。
【００３３】
さらに、ガイドユニット４は、プラスチックの射出成形プロセスによって形成される。隣接する歯４１４の間に形成された開口４１７のおかげで、ガイドユニット４を、モールドダイから容易に取り外すことができ、モールド成型時における非一様な膨張や収縮によって引き起こされる問題点を回避することができる。ガイドユニット４が他の材料から形成されている場合であっても、開口２１７は、必要であり、これにより、対応する係合フック４２のバーブ表面４２１を形成するためにそれら開口２１７を通してツールを挿入可能とすることができる。
【００３４】
より詳細には、スライドレールユニット２の円滑なスライド機構は、第１組のボール２３の円滑な移動に関して与える影響のために、ロール成型機の品質に依存する。ガイドプレート２１２がロール成型機によって形成された後には、スライドユニットの製造者は、ガイドプレート２１２に対してさらなる作業を行う必要がない。これにより、組立時には第１組のボール２３がガイドプレート２１２の長さ全体にわたって回転することのために、不適切な破壊的機械加工による切り込みや凹所の形成を回避することができる。固定部２１６がプレス加工によって形成される際には、固定部２１６は、第１組のボール２３の各ボールの直径よりも小さな幅を有して形成される。組立時には、第１組のボール２３は、固定部２１６を有した第１ローラフリー部分２１４を回転によって通過することができる。加えて、固定部２１６は、長手方向ガイドユニット４に対して配置されたガイドプレート２１２上にプレス加工によって形成される。これにより、ガイドプレート２１２の変形を回避することができる。第１スライドレール２１の固定部２１６が第１ローラフリー部分２１４に形成されることにより、また、第１スライドレール２１の傾斜タブ２１７が第２ローラフリー部分２１５に形成されることにより、固定部２１６および傾斜タブ２１７は、ローラ部分２１３の平滑さに悪影響を与えることがない。これにより、第１組のボール２３は、ローラ部分２１３内において円滑に移動することができる。
【００３５】
スライドレールユニット２およびガイドユニット４が互いに係合するという全体的構成のおかげで、ガイド付きスライドアセンブリとガイドユニットとスライドレールユニットとは、特許請求の範囲において、出願の単一性の要件を満たすものである。
【符号の説明】
【００３６】
２  スライドレールユニット
４  ガイドユニット
２１  第１スライドレール
２２  第２スライドレール
４１  長手方向のラック部材
４２  係合フック
４３  当接部材
４４  側部保持部材
４５  スロット付き部分
２１１  長手方向のベースプレート
２１２  ガイドプレート
２１６  固定部
２１７  傾斜タブ
４１１  長手方向保持壁
４１２  長手方向保持壁
４１３  長手方向の歯付き部分
４１４  歯
４１７  開口
４１８  裏面
４１９  長手方向凹所
４２１  バーブ表面
【図１】
2013106954.tif 000003
【図２】
2013106954.tif 000004
【図３】
2013106954.tif 000005
【図４】
2013106954.tif 000006
【図５】
2013106954.tif 000007
【図６】
2013106954.tif 000008
【図７】
2013106954.tif 000009
【外国語明細書】
2013106954000001.pdf